(57)【要約】【課題】宅外通話端末からの呼出信号と、センサカメラ端末からのセンサ入力信号とに各々対応した動作を行うインターホンシステムを提供する。【解決手段】住戸内に設置された宅内通話端末たる親機１及び副親機２，２と、住戸外に設置された宅外通話端末たるカメラ付ドアホン子器３，３と、住戸外に設置されたセンサカメラ端末たるセンサカメラ子器４とから構成され、センサカメラ子器４が出力するセンサ入力信号はカメラ付ドアホン子器３が出力する呼出信号とは異なった信号であり、親機１はセンサ入力信号と呼出信号とを区別して認識することができ、センサ入力信号を入力された親機１は、センサ入力信号の種類によってスピーカ１４から報知音を鳴動させるか否かを判断する。【選択図】　　　　図１
2004088411.tif 000002
【特許請求の範囲】
【請求項１】
住戸外に設置されて来客時には呼出信号を出力する宅外通話端末と、住戸外に設置されて人体検知時にセンサ入力信号を出力する人感センサ、及び画像信号を出力するカメラを具備するセンサカメラ端末と、住戸内に設置されて宅外通話端末からの呼出信号に対して応答することで当該宅外通話端末との間で通話を行い、センサカメラ端末からのセンサ入力信号を受けるとセンサカメラ端末からの画像信号を録画する宅内通話端末とから構成され、宅内通話端末は、入力された信号が呼出信号であるか、あるいはセンサ入力信号であるかを判別し、呼出信号であれば報知音を鳴動させて、センサ入力信号であれば報知音を鳴動させない手段を備えることを特徴とするインターホンシステム。
【請求項２】
住戸外に設置されて来客時には呼出信号を出力する宅外通話端末と、住戸外に設置されて人体検知時にセンサ入力信号を出力する人感センサ、及び画像信号を出力するカメラを具備するセンサカメラ端末と、住戸内に設置されて宅外通話端末からの呼出信号に対して応答することで当該宅外通話端末との間で通話を行い、センサカメラ端末からのセンサ入力信号を受けるとセンサカメラ端末からの画像信号を録画する宅内通話端末とから構成され、宅内通話端末は、入力された信号が呼出信号であるか、あるいはセンサ入力信号であるかを判別し、呼出信号であれば報知音を鳴動させて、センサ入力信号であり且つ所定の条件下であれば報知音を鳴動させない手段を備えることを特徴とするインターホンシステム。
【請求項３】
センサカメラ端末は、周囲の状態に応じて報知音有りのセンサ入力信号または報知音無しのセンサ入力信号を出力し、宅内通話端末は、報知音有りのセンサ入力信号を受けた場合は報知音を鳴動させ、報知音無しのセンサ入力信号を受けた場合は報知音を鳴動させないことを特徴とする請求項２記載のインターホンシステム。
【請求項４】
宅内通話端末は、センサ入力信号を受けたときに報知音を鳴動させるか否かを設定する手段を備えることを特徴とする請求項２記載のインターホンシステム。
【発明の詳細な説明】
【０００１】
【発明の属する技術分野】
本発明は、センサカメラを用いたインターホンシステムに関するものである。
【０００２】
【従来の技術】
従来、住戸外に設置されて来客時には呼出信号を出力するドアホン子器（宅外通話端末）と、住戸外に設置されて人体検知時にセンサ入力信号を出力する人感センサ、及び画像信号を出力するカメラ装置を具備するセンサカメラ子器（センサカメラ端末）と、住戸内に設置されてドアホン子器からの呼出信号に対して応答することで当該ドアホン子器との間で通話を行い、センサカメラ子器からのセンサ入力信号を受けるとセンサカメラ子器からの画像信号を録画する親機及び副親機（宅内通話端末）とから構成されるインターホンシステムにおいては、センサカメラ子器の人感センサでの人体検知動作を行うセンサセット中は、センサ入力信号を受けた親機、副親機は必ず報知音を鳴動させて、映像表示用モニタを立ち上げていた。
【０００３】
【発明が解決しようとする課題】
上記従来のインターホンシステムでは、センサカメラ子器の人感センサで人体検知動作を行うセンサセット中は、センサ入力信号を受けた親機、副親機は昼夜問わず必ず報知音を鳴動させるため、検知誤動作が多い場合には頻繁に報知音が鳴動して使えないという問題があった。また、センサカメラ子器による報知音は必要ないが、画像の録画だけしておきたい人（例えば、夜寝ている間にセンサカメラ子器が撮像した映像の録画だけしたい等）の要望に対応することができないという問題もあった。さらに、報知音が鳴動しないように設定すると、ドアホン子器からの呼出信号による報知音も鳴動しないため、インターホンシステムとしての主機能である来客対応もできなくなるという問題もあった。
【０００４】
本発明は、上記事由に鑑みてなされたものであり、その目的は、宅外通話端末からの呼出信号と、センサカメラ端末からのセンサ入力信号とに各々対応した動作を行うインターホンシステムを提供することにある。
【０００５】
【課題を解決するための手段】
請求項１の発明は、住戸外に設置されて来客時には呼出信号を出力する宅外通話端末と、住戸外に設置されて人体検知時にセンサ入力信号を出力する人感センサ、及び画像信号を出力するカメラを具備するセンサカメラ端末と、住戸内に設置されて宅外通話端末からの呼出信号に対して応答することで当該宅外通話端末との間で通話を行い、センサカメラ端末からのセンサ入力信号を受けるとセンサカメラ端末からの画像信号を録画する宅内通話端末とから構成され、宅内通話端末は、入力された信号が呼出信号であるか、あるいはセンサ入力信号であるかを判別し、呼出信号であれば報知音を鳴動させて、センサ入力信号であれば報知音を鳴動させない手段を備えることを特徴とする。
【０００６】
請求項２の発明は、住戸外に設置されて来客時には呼出信号を出力する宅外通話端末と、住戸外に設置されて人体検知時にセンサ入力信号を出力する人感センサ、及び画像信号を出力するカメラを具備するセンサカメラ端末と、住戸内に設置されて宅外通話端末からの呼出信号に対して応答することで当該宅外通話端末との間で通話を行い、センサカメラ端末からのセンサ入力信号を受けるとセンサカメラ端末からの画像信号を録画する宅内通話端末とから構成され、宅内通話端末は、入力された信号が呼出信号であるか、あるいはセンサ入力信号であるかを判別し、呼出信号であれば報知音を鳴動させて、センサ入力信号であり且つ所定の条件下であれば報知音を鳴動させない手段を備えることを特徴とする。
【０００７】
請求項３の発明は、請求項２において、センサカメラ端末は、周囲の状態に応じて報知音有りのセンサ入力信号または報知音無しのセンサ入力信号を出力し、宅内通話端末は、報知音有りのセンサ入力信号を受けた場合は報知音を鳴動させ、報知音無しのセンサ入力信号を受けた場合は報知音を鳴動させないことを特徴とする。
【０００８】
請求項４の発明は、請求項２において、宅内通話端末は、センサ入力信号を受けたときに報知音を鳴動させるか否かを設定する手段を備えることを特徴とする。
【０００９】
【発明の実施の形態】
以下、本発明の実施の形態を図面に基づいて説明する。
【００１０】
本実施形態のインターホンシステムは、図１に示すように、住戸内に設置された宅内通話端末たる親機１及び副親機２，２と、住戸外に設置された宅外通話端末たるカメラ付ドアホン子器３，３と、住戸外に設置されたセンサカメラ端末たるセンサカメラ子器４とから構成され、親機１は通話線を介して副親機２、カメラ付ドアホン子器３、センサカメラ子器４と接続されている。また、親機１と副親機２とはＡＣ１００Ｖ電源によって動作している。
【００１１】
カメラ付ドアホン子器３は従来周知の構成を有するものであって、呼出釦、マイクロホン、スピーカ、カメラ装置等を具備し、呼出釦が操作されたときに親機１に対して呼出信号を出力し、親機１又は副親機２との間に通話路が形成されると、マイクロホン及びスピーカを用いて親機１または副親機２と通話し、カメラ装置で撮像した画像信号を親機１または副親機２に出力することができる。
【００１２】
センサカメラ子器４は、図２に示すように人感センサ４ａと、カメラ装置４ｂと、マイクロホン４ｃとを備えており、人体検知時にセンサ入力信号を出力し、画像信号及び音声信号を出力するものである。
【００１３】
親機１は、図３に示すように、カメラ付ドアホン子器３，３のうち入力のあった側に接続を切り替えるスイッチＳＷ１と、スイッチＳＷ１で選択したカメラ付ドアホン子器３とセンサカメラ子器４のうち入力のあった側に接続を切り替えるスイッチＳＷ２と、スイッチＳＷ１，ＳＷ２を介していずれかの子器に接続されるトランスＴ１の１次側と、トランスＴ１の２次側に接続して子器からの信号を増幅する増幅器ＡＭＰ１と、子器からの画像信号による画像またはピクト画像を表示する映像表示用モニタ１１と、ピクト画像を生成するピクト画像生成ブロック１２と、映像表示用モニタ１１への入力を増幅器ＡＭＰ１またはピクト画像生成ブロック１２に切り替えるスイッチＳＷ３と、スイッチＳＷ３を介した増幅器ＡＭＰ１またはピクト画像生成ブロック１２からの信号を絶縁して副親機２へ出力するためのトランスＴ２と、カメラ付ドアホン子器３と通話を行うためのスピーカ１４、マイクロホン１５と、トランスＴ２の補助巻線Ｔ２ａを介してトランスＴ１の１次側に接続し、カメラ付ドアホン子器３との間に通話路を形成してカメラ付ドアホン子器３から送られてくる音声信号（受話信号）を処理してスピーカ１４から音声を出力するとともにマイクロホン１５で集音した音声を処理した音声信号（送話信号）をカメラ付ドアホン子器３に送って双方向の通話を実現する音声回路ブロック１３と、親機１全体の制御を行うＣＰＵ１０とから構成される。また、副親機２からの信号はトランスＴ２の補助巻線Ｔ２ａを介して子器に伝達される。
【００１４】
さらに、図５に示すように、親機１の前面には、通話を行うときに押下する通話釦Ｂ２と、通話時に点灯し、呼出状態時に点滅する通話表示ＬＥＤ２と、前述の映像表示用モニタ１１、スピーカ１４、マイクロホン１５と、後述する留守セット動作を行う時に押下する留守設定釦Ｂ１、セット釦Ｂ３、留守セット動作時に点灯するセット表示ＬＥＤ１とを設けている。
【００１５】
副親機２は、図４に示すように、親機１または副親機２に接続されるトランスＴ３の１次側と、トランスＴ３の２次側に接続して親機１または副親機２からの信号を増幅する増幅器ＡＭＰ２と、増幅器ＡＭＰ２からの信号を絶縁して他の副親機２へ出力するためのトランスＴ４と、トランスＴ３の２次側に接続して親機１または副親機２からの画像信号による画像を表示する映像表示用モニタ２０と、カメラ付ドアホン子器３と通話を行うためのスピーカ２３、マイクロホン２４と、トランスＴ４の補助巻線Ｔ４ａを介してトランスＴ３の１次側に接続し、親機１を介してカメラ付ドアホン子器３との間に通話路を形成してカメラ付ドアホン子器３から送られてくる音声信号（受話信号）を処理してスピーカ２３から音声を出力するとともにマイクロホン２４で集音した音声を処理した音声信号（送話信号）をカメラ付ドアホン子器３に送って双方向の通話を実現する音声回路ブロック２２と、副親機２全体の制御を行うＣＰＵ２１とから構成される。また、他の副親機２からの信号はトランスＴ４の補助巻線Ｔ４ａを介して親機１または副親機２に伝達される。
【００１６】
ここで、カメラ付ドアホン子器３の呼出釦が操作されると親機１に対して呼出信号を出力し、親機１のＣＰＵ１０は呼出信号入力のあった当該カメラ付ドアホン子器３に接続するようにスイッチＳＷ１，ＳＷ２を切り替え、呼出信号を入力された音声回路ブロック１３はスピーカ１４から報知音を鳴動させて、カメラ付ドアホン子器３からの画像信号は映像表示用モニタ１１でモニタできると共に、映像表示用モニタ１１内のメモリに録画される。報知音を聞いた家人が通話釦Ｂ２を押下すると、当該カメラ付ドアホン子器３との間に通話路を形成して、カメラ付ドアホン子器３との間で双方向のハンズフリー通話が可能になる。副親機２においても親機１と同様にカメラ付ドアホン子器３との間で双方向のハンズフリー通話、及び映像モニタが可能となっている。
【００１７】
次に、センサカメラ４の人感センサ４ａで人体検知が為された場合にカメラ装置４ｂで撮像した画像を録画するセンサセット＋留守セット（防犯モード）時の動作について説明する。まず、親機１の留守設定釦Ｂ１を押下すると、映像表示用モニタ１１上で「センサカメラ報知音有り」モードと「センサカメラ報知音無し」モードを選択する画面が表示される。これは親機１においてセンサ入力信号を受けたときに報知音を鳴動させるか否かを設定でき、「センサカメラ報知音有り」モードの場合はセンサ入力信号の種類によって、センサ入力信号の入力時にスピーカ１４から報知音を鳴動させるか否かを判断する。「センサカメラ報知音無し」モードの場合はセンサ入力信号の種類に関わらず、センサ入力信号の入力時にスピーカ１４から報知音を鳴動させない。ここでは、「センサカメラ報知音有り」モードを選択する。
【００１８】
すると、留守設定釦Ｂ１及びセット表示ＬＥＤ１が点灯してセンサセット＋留守セット状態となる。この状態で人感センサ４ａからセンサ入力信号が出力されると、親機１はセンサカメラ子器４に接続するようにスイッチＳＷ１，ＳＷ２を切り替える。センサ入力信号はカメラ付ドアホン子器３が出力する呼出信号とは異なった信号であり、音声回路ブロック１３はセンサ入力信号と呼出信号とを区別して認識することができ、センサ入力信号を入力された音声回路ブロック１３は、さらにセンサ入力信号の種類によってスピーカ１４から報知音を鳴動させるか否かを判断する。
【００１９】
センサカメラ子器４から出力されるセンサ入力信号には、センサ入力信号を受けた親機１、副親機２で報知音を鳴動させる報知音有りのセンサ入力信号（報知音有り信号）と、報知音を鳴動させない報知音無しのセンサ入力信号（報知音無し信号）との２種類がある。これは、カメラ装置４ｂの明るさセンサやタイマ機能に連動させることで、センサカメラ子器４周囲の明るさや時間等に応じて報知音有り信号または報知音無し信号のいずれかを出力するように設定することで実現できる。例えば明るさセンサと連動させれば、昼は報知音有り信号を出力し、夜は報知音無し信号を出力するように自動的に切り替えることができる。
【００２０】
センサカメラ子器４から出力されるセンサ入力信号が報知音有り信号である場合の親機１の動作を図６に示す。センサ入力信号（報知音有り信号）が入力された音声回路ブロック１３がスピーカ１４から報知音（例えばポロロン）を鳴動させた後、映像表示用モニタ１１が立ち上がり、呼び出し状態となって通話表示ＬＥＤ２が点滅する。そして、カメラ装置４ｂからの画像信号がスイッチＳＷ１，２、トランスＴ１、増幅器ＡＭＰ１、スイッチＳＷ３を介して映像表示モニタ１１に入力され、映像表示モニタ１１内のメモリに３枚の画像を録画する。さらにスピーカ１４から報知音を鳴動させた後には、すぐにマイクロホン４ｃからの音声信号がスイッチＳＷ１，２、を介して音声回路ブロック１３に入力され、音声回路ブロック１３内のメモリにセンサ入力信号の入力から１６秒間の音声が録音される。
【００２１】
そして、この呼び出し状態はセンサ入力信号の入力から３０秒間続き、この呼び出し状態で親機１の通話釦Ｂ２を押下すると、カメラ付ドアホン子器３から送られた画像信号を映像表示用モニタ１１に表示してモニタすることができる。このとき通話表示ＬＥＤ２は消灯する。このモニタ状態は、通話釦Ｂ２を押下してから１分後、もしくは再度通話釦Ｂ２を押下することで終了する。
【００２２】
次にセンサカメラ子器４から出力されるセンサ入力信号が報知音無し信号である場合の親機１の動作を図７に示す。センサ入力信号（報知音無し信号）が入力された音声回路ブロック１３はスピーカ１４から報知音（例えばポロロン）を鳴動させず、映像表示用モニタ１１も動作していない状態で、通話表示ＬＥＤ２のみが点滅する。そして、カメラ装置４ｂからの画像信号がスイッチＳＷ１，２、トランスＴ１、増幅器ＡＭＰ１、スイッチＳＷ３を介して映像表示モニタ１１に入力され、映像表示モニタ１１内のメモリに３枚の画像を録画する。さらにマイクロホン４ｃからの音声信号がスイッチＳＷ１，２を介して音声回路ブロック１３に入力され、音声回路ブロック１３内のメモリにセンサ入力信号の入力から１６秒間の音声が録音される。なお３枚の画像の録画は、センサ入力信号の入力後、撮像箇所の照明の防犯モードの動きに合わせて適切な時間を設定すればよく、例えば３秒、６秒、９秒後に録画するように設定される。あるいは、後２枚についてはセンサ入力信号の再入力タイミングに合わせて録画してもよい。
【００２３】
そして、この報知音無しの呼び出し状態はセンサ入力信号の入力から３０秒間続き、この呼び出し状態で親機１の通話釦Ｂ２を押下すると、映像表示用モニタ１１が立ち上がり、カメラ付ドアホン子器３から送られた画像信号を表示してモニタすることができる。このとき通話表示ＬＥＤ２は消灯する。このモニタ状態は、通話釦Ｂ２を押下してから１分後、もしくは再度通話釦Ｂ２を押下することで終了する。
【００２４】
上記動作説明では、親機１が、センサ入力信号の種類によってセンサ入力信号の入力時にスピーカ１４から報知音を鳴動させるか否かを判断する「センサカメラ報知音有り」モードを選択した場合について説明したが、センサ入力信号の種類に関わらず、センサ入力信号の入力時にはスピーカ１４から報知音を鳴動させない「センサカメラ報知音無し」モードを選択した場合の動作を以下説明する。
【００２５】
まず親機１の留守設定釦Ｂ１を押下した後、映像表示用モニタ１１上で、「センサカメラ報知音有り」モードと「センサカメラ報知音無し」モードとのうち「センサカメラ報知音無し」モードをここでは選択する。すると、留守設定釦Ｂ１及びセット表示ＬＥＤ１が点灯してセンサセット＋留守セット状態となる。
【００２６】
また、明るさセンサやタイマ機能に連動させることで、周囲の明るさや時間等に応じて「センサカメラ報知音有り」モードと「センサカメラ報知音無し」モードとを切り替えるようにしてもよい。例えば明るさセンサと連動させれば、昼は「センサカメラ報知音有り」モードとし、夜は「センサカメラ報知音無し」モードとするように自動的に切り替えることができる。
【００２７】
そして、「センサカメラ報知音無し」モードの状態でセンサカメラ子器４からのセンサ入力信号が入力された親機１の動作は、前述した「センサカメラ報知音有り」モード時にセンサ入力信号が報知音無し信号である場合の動作と同様であり、図７に示されるので説明は省略する。
【００２８】
次に、上記センサセット＋留守セット状態において留守設定釦Ｂ１を押下すれば、留守設定釦Ｂ１及びセット表示ＬＥＤ１が消灯して、センサセット＋留守セットが解除される。この解除状態での親機１の動作は図８に示され、センサカメラ子器４からのセンサ入力信号による動作は何ら行われず、音声回路ブロック１３はスピーカ１４から報知音を鳴動させず、映像表示用モニタ１１も動作していない状態で、録画，録音も行われない。但し、手動によるモニタは可能である。
【００２９】
なお本実施形態では、映像表示モニタ１１内のメモリに録画される画像枚数は３枚としているが、親機１の設定で録画枚数は変更することができ、例えば１枚に設定してもよい。
【００３０】
【発明の効果】
請求項１の発明は、住戸外に設置されて来客時には呼出信号を出力する宅外通話端末と、住戸外に設置されて人体検知時にセンサ入力信号を出力する人感センサ、及び画像信号を出力するカメラを具備するセンサカメラ端末と、住戸内に設置されて宅外通話端末からの呼出信号に対して応答することで当該宅外通話端末との間で通話を行い、センサカメラ端末からのセンサ入力信号を受けるとセンサカメラ端末からの画像信号を録画する宅内通話端末とから構成され、宅内通話端末は、入力された信号が呼出信号であるか、あるいはセンサ入力信号であるかを判別し、呼出信号であれば報知音を鳴動させて、センサ入力信号であれば報知音を鳴動させない手段を備えるので、宅外通話端末からの呼出には報知音有りで録画し、センサカメラ端末からのセンサ入力信号に対しては報知音無しで録画することができて、センサカメラ端末の検知誤動作が多い状況、あるいは深夜の寝ているとき等にセンサカメラ端末による報知音は鳴動させたくないが映像は録画したい等のニーズに対応することができるという効果が有る。
【００３１】
請求項２の発明は、住戸外に設置されて来客時には呼出信号を出力する宅外通話端末と、住戸外に設置されて人体検知時にセンサ入力信号を出力する人感センサ、及び画像信号を出力するカメラを具備するセンサカメラ端末と、住戸内に設置されて宅外通話端末からの呼出信号に対して応答することで当該宅外通話端末との間で通話を行い、センサカメラ端末からのセンサ入力信号を受けるとセンサカメラ端末からの画像信号を録画する宅内通話端末とから構成され、宅内通話端末は、入力された信号が呼出信号であるか、あるいはセンサ入力信号であるかを判別し、呼出信号であれば報知音を鳴動させて、センサ入力信号であり且つ所定の条件下であれば報知音を鳴動させない手段を備えるので、宅外通話端末からの呼出しには報知音有りで録画し、センサカメラ端末からのセンサ入力信号に対しては録画する際の報知音の有無を様々な状況に対応して切り替えることができるという効果がある。
【００３２】
請求項３の発明は、請求項２において、センサカメラ端末は、周囲の状態に応じて報知音有りのセンサ入力信号または報知音無しのセンサ入力信号を出力し、宅内通話端末は、報知音有りのセンサ入力信号を受けた場合は報知音を鳴動させ、報知音無しのセンサ入力信号を受けた場合は報知音を鳴動させないので、宅内通話端末は、センサカメラ端末からのセンサ入力信号の種類に応じて報知音を鳴動させるか否かを自動的に切り替えることができるという効果がある。例えば、周囲の明るさと連動させて夜は報知音を鳴動させないようにすることができる。
【００３３】
請求項４の発明は、請求項２において、宅内通話端末は、センサ入力信号を受けたときに報知音を鳴動させるか否かを設定する手段を備えるので、宅内通話端末側で報知音を鳴動させるか否かを切り替えることができるという効果がある。
【図面の簡単な説明】
【図１】本発明の実施形態のインターホンシステムの構成を示す図である。
【図２】同上のセンサカメラ子器の構成を示す図である。
【図３】同上の親機の構成を示す図である。
【図４】同上の副親機の構成を示す図である。
【図５】同上の親機とセンサカメラ子器とのシステム構成を示す図である。
【図６】同上のセンサ入力信号（報知音有り信号）入力時の親機の動作を示す図である。
【図７】同上のセンサ入力信号（報知音無し信号）入力時の親機の動作を示す図である。
【図８】同上のセンサセット、留守セット解除時の親機の動作を示す図である。
【符号の説明】
１　親機
２　副親機
３　カメラ付きドアホン子器
４　センサカメラ子器
【図１】
2004088411.tif 000003
【図２】
2004088411.tif 000004
【図３】
2004088411.tif 000005
【図４】
2004088411.tif 000006
【図５】
2004088411.tif 000007
【図６】
2004088411.tif 000008
【図７】
2004088411.tif 000009
【図８】
2004088411.tif 000010